(57)【特許請求の範囲】
【請求項１】
下糸のボビンを格納するボビンケースと、
前記ボビンケースの周囲で往復回動を行う中釜と、
前記中釜を往復回動可能として内側で保持する大釜と、
前記大釜の上部に配置される糸ガイド板とを備え、
ミシンベッド部内で糸切り装置の下方に配置されるミシンの釜機構において、
前記糸ガイド板に、前記糸切り装置の動メスにより払われる下糸を捕捉する下糸保持部を設けると共に、
前記下糸保持部を、前記糸ガイド板に対する縫製時の下糸通過位置よりも、前記ボビンケースの下糸導出部の近傍に配置したことを特徴とするミシンの釜機構。
【請求項２】
前記下糸保持部を、前記ボビンケースの下糸導出部の垂直上方に配置したことを特徴とする請求項１記載のミシンの釜機構。
【発明の詳細な説明】
【技術分野】
【０００１】
本発明は、中釜が往復回動を行うミシンの釜機構に関する。
【背景技術】
【０００２】
従来の本縫いを行うミシンは、ミシンベッド部の針板の下側に糸切り装置が設けられ、さらに、糸切り装置の下方には上糸に下糸を絡ませるための釜機構が設けられている。
そして、釜機構は、下糸のボビンを格納するボビンケースと、ボビンケースの周囲で往復回動を行う中釜と、中釜を往復回動可能として内側で擁する大釜と、大釜の上部に配置される糸ガイド板とを備えている（例えば、特許文献１参照）。
【０００３】
そして、上記釜機構は、縫製時において、糸ガイド板のガイド穴の内側に縫い針が下降すると、中釜に設けられた剣先が上糸を捕捉して、上糸のループを中釜の下方まで引き延す。中釜はその剣先が当該中釜の真下を若干通過する位置まで回動すると、逆方向に回動が切り替えられ、上糸は捕捉状態から解放される。かかるタイミングで上糸が天秤により引っ張られると、上糸のループは中釜をくぐらせて引き上げられる。これにより、中釜の内側に位置するボビンケースから繰り出された下糸は上糸のループをくぐることとなり、これにより結節が形成され、縫製が行われる。
【０００４】
一方、糸ガイド板には、縫製時に上糸と下糸とが挿通されるガイド穴が形成されており、当該ガイド穴は、上記上糸のループが中釜により下方に引き延ばされる際に、上糸の剣先を挟んで上流側となる部分と下流側となる部分とが押し開かれる形状となっている。つまり、これにより、上糸が中釜と大釜との間に挟まれることなくループ形成が行われるようになっている。
さらに、糸ガイド板には、糸切り装置により切断された下糸の端部を保持するための下糸保持部が形成されている。
上記糸切り装置は、回動を行う動メスと、動メスと挟み込むことで糸の切断を行う固定メスとを備えており、下糸保持部は、動メスにより固定メスに向かって運ばれる際に下糸を捕捉する構造となっている。
つまり、縫製終了後は、下糸が糸切り装置により切断される際に、糸ガイド板の下糸保持部により下糸の切断端部が捕捉されることで、次の縫製の際には、下糸のセッティングを不要とすることを可能としている。
【特許文献１】特開平８−１０４８４号
【発明の開示】
【発明が解決しようとする課題】
【０００５】
しかしながら、上記釜機構の糸ガイド板の下糸保持部は、ボビンケースによる下糸の繰り出し位置から離れた位置に形成されており、下糸が糸切り装置の動メスにより下糸保持部まで運ばれるまでに下糸がボビンから余分に繰り出されてしまうという問題があった。このため、次の縫製の際には、糸張力が低減し、結節が良好に形成されない、という不都合があった。
【０００６】
本発明は、下糸切断後の次回の縫製が良好に行われるようにすることを、その目的とする。
【課題を解決するための手段】
【０００７】
請求項１記載の発明は、下糸のボビンを格納するボビンケースと、ボビンケースの周囲で往復回動を行う中釜と、中釜を往復回動可能として内側で擁する大釜と、大釜の上部に配置される糸ガイド板とを備え、ミシンベッド部内で糸切り装置の下方に配置されるミシンの釜機構であって、糸ガイド板に、糸切り装置の動メスにより払われる下糸を捕捉する下糸保持部を設けると共に、下糸保持部を、糸ガイド板に対する縫製時の下糸通過位置よりも、ボビンケースの下糸導出部の近傍に配置する、という構成を採っている。
【０００８】
なお、「ボビンケースの下糸導出部」とは、ボビンケースが導出される下糸の糸経路を定める案内手段を備える場合には、当該案内手段から下糸の拘束が離れる部分をいう。
【０００９】
請求項２記載の発明は、請求項１記載の発明と同様の構成を備えると共に、下糸保持部を、ボビンケースの下糸導出部の上方に配置する、という構成を採っている。
【発明の効果】
【００１０】
請求項１記載の発明は、ボビンケースから下糸が繰り出された状態で、中釜がその剣先により縫い針から上糸を捕捉し、そのループを下方まで引き延ばす。そして、中釜は逆方向に回動し、上糸はミシンに設けられた天秤により引っ張られることで中釜及びボビンケースをそのループにくぐらせる。これにより、上糸のループに下糸が挿通されて結節が形成され、縫製が行われる。
かかる縫製時において、下糸は、ボビンケースの下糸導出部からミシンの針板に形成された針穴に向かってほぼ真っ直ぐに渡っており、途中の糸ガイド板に対してほぼ一定の下糸通過位置を通過している。
そして、糸切り装置による下糸切断時には、当該糸切り装置により下糸は下糸通過位置から下糸保持部に移動され保持される。その際、下糸は、下糸通過位置よりも下糸導出部に近い下糸保持部に移動されるので、当該移動による下糸の繰り出しが低減される。
従って、切断後の下糸端部は、余分な長さとならず、次回の縫製に際して、糸張力の変動の発生を抑制することができ、結節を良好に形成することが可能となる。これにより、縫い始めの縫い品質の向上を図ることが可能となる。
【００１１】
請求項２記載の発明は、下糸保持部を下糸導出部の上方に配置しているため、下糸導出部に対して下糸保持部をより近い配置とすることができ、下糸保持の際に、余分な下糸の繰り出しをさらに低減し、次回の縫製においてさらなる縫い品質の向上を図ることが可能となる。
【発明を実施するための最良の形態】
【００１２】
（発明の実施形態の全体構成）
本発明の実施の形態である釜機構５０について図１乃至図５に基づいて説明する。図１は釜機構５０が搭載されたミシン１０の主要部を示す斜視図である。
以下、後述する針板１１の上面に平行であって図示しないミシン１０の釜軸に平行な方向をＹ軸方向、針板１１の上面に平行であってＹ軸方向に直交する方向をＸ軸方向、針板１１の上面に垂直な方向をＺ軸方向としてミシン各部の説明を行うこととする。
【００１３】
ミシン１０は、全体的には略コ字状を成すフレーム２０を備え、当該フレーム２０はその下部に位置するベッド部２１とベッド部２１の一端部から立ち上げられた図示を省略した縦胴部と縦胴部の上端からベッド部２１と同じ方向に延設されたアーム部２２とを備えている。
そして、アーム部２２内には、縫い針１２を保持する針棒に対して上下動の駆動力を付与する上軸がＹ軸方向に沿って配設され、ベッド部２１内には、釜機構５０に駆動力を付与する釜軸がＹ軸方向に沿って配設されている。
上記上軸はミシンモータにより一定方向に全回転を行い、伝達機構を介して釜軸に往復の回動駆動力を伝達する。これにより、釜軸は、縫い針の上下動に同期して或いは整数倍の周波数で、ほぼ半回転の範囲で正方向と逆方向の回動を繰り返すようになっている。
【００１４】
図２はフレーム２０のベッド部２１の一端部をＹ軸方向に沿った視線で見た側面図である。図示のように、ベッド部２１の縫い針の下側となる位置には針板１１が装備されており、当該針板１１には縫製時に縫い針１２が挿通される針穴１３が形成されている。
さらに、針板１１の下面側には糸切り装置が配設され、さらにその下方には、ベッド部２１に内蔵された状態で釜機構５０が配設されている。
【００１５】
糸切り装置は、針板１１の下面側に回動可能に支持された動メス１４と、動メス１４が薙いで運んでくる上糸及び下糸Ｄを当該動メス１４との間に挟んで切断する固定メスと、動メス１４を往復方向に回動させるモータと、モータと動メス１４とを連結する駆動力の伝達機構とを備えている。
【００１６】
上記動メス１４は、針板１２の平板面に沿って往復の回動を行い、針穴１３の鉛直下方を通過するようにその往復回動範囲が設定されている。
切断時には、針穴１３には、上糸の縫い針１２から垂れ下がった部分と上糸の針板下方で折り返して被縫製物に向かう部分と下糸Ｄとが挿通されており、動メス１４は、これらの中から上糸における縫い針１２から垂れ下がった部分を残して上糸の針板下方で折り返して被縫製物に向かう部分と下糸Ｄとを切断する必要がある。
このため、動メス１４は、往復回動の往路において突起１４ａにより上糸における縫い針１２から垂れ下がった部分のみを選別して捕捉し、復路において突起１４ａの逆側で上糸の針板下方で折り返して被縫製物に向かう部分と下糸Ｄとを捕捉して固定メスまで運ぶ構造となっている。
後述する図４では、往路と復路の間の停止位置における動メス１４を示している。なお、この図４では、矢印Ｓの範囲で動メス１４は往復回動を行い、往路で図の時計回りに回動し、復路で反時計回りに回動を行う。
【００１７】
（釜機構）
図３は釜機構５０の斜視図、図４は平面図である。
釜機構５０は、図１に示すように、下糸Ｄが巻かれたボビン５６を格納するボビンケース５１と、ボビンケース５１の周囲で往復回動を行う中釜５２と、釜軸から中釜５２に往復回動の駆動力を伝達するドライバ５３と、中釜５２を往復回動可能として内側で保持する大釜５４と、中釜５２を大釜５４の内部に保持するための中釜押さえ５５と、縫製時に上糸の縫い針１２から垂れ下がった部分と上糸の針板下方で折り返して被縫製物に向かう部分とが互いに離隔するように案内する糸ガイド板６０とを備えている。
【００１８】
大釜５４は、図１に示すように、大径の筒状部５４ａと小径の筒状部５４ｂを同心で一体化した形状であり、小径の筒状部５４ｂは中心部が貫通され、釜軸が挿入されるようになっている。
また、大径の筒状部５４ａは、中釜５２を格納すると共に、その内部には、中釜５２の外周部分に摺接してその回転をガイドする摺動面が形成されている。つまり、中釜５２は、摺動面により大釜５４に回転可能に支持されている。
【００１９】
また、大釜５４は、その中心線がＹ軸方向に沿うようにミシンベッド部２１に装備され、且つ当該装備状態において大径の筒状部５４ａの上部となる部分が幾分湾曲した略平面状に形成されている。かかる略平面部は内部まで貫通するように切り欠かれており、なおかつ略平面部には糸ガイド板６０が固定装備される。そして、略平面部に形成された切り欠きと糸ガイド板６０に形成された後述するガイド穴６５とに下降した縫い針が挿入され、上糸と下糸Ｄとが絡められて縫製が行われるようになっている。
【００２０】
中釜５２は、略扇状に形成されており、その中心位置には支軸５２ａが設けられ、当該支軸５２ａを介してボビン５６とボビンケース５１とを回転可能に支持することが可能となっている。
また、中釜５２には、その外周部に前述した大釜５４の摺接面と摺動する摺接面が形成されると共に外周部の一端部に上糸捕捉用の尖鋭な剣先５２ｂが形成されており、これにより、中釜５２は内側のボビンケース５１の周囲で往復回動を行い、剣先５２ｂにより上糸の捕捉を行う。
【００２１】
ドライバ５３は、中釜５２と共に大釜５４の内部に格納されると共に、釜軸の先端部に抱き締めにより固定支持されている。このドライバ５３は、略扇状に形成され、釜軸による往復回動時において、ドライバ５３の円周方向における一端部と他端部とがそれぞれ交互に中釜５２に当接して、当該中釜５２と共に往復回動を行うようになっている。
このように、中釜５２は、直接釜軸に連結されることなく、釜軸に連結されたドライバ５３に押されて往復回動を行う構造のため、回動方向の切り替わるタイミングでドライバ５３と中釜５２との隙間に上糸のループを通すことで、上糸のループに中釜５２をくぐらせることができる。そして、その結果、中釜５２の内側に配置されたボビンケース５１内から繰り出される下糸Ｄを上糸のループに挿通させることを可能としている。
これら中釜５２とドライバ５３とは、大釜５４の端面に固定装備される中釜押さえ５５により、大釜５４の大径の筒状部５４ｂ内に保持される。
【００２２】
ボビン５６は、下糸Ｄが巻回される筒状の中心軸部と、その両端部に設けられた円板状のフランジ部とからなり、各フランジ部の間に下糸Ｄが巻回される。そして、筒状の中心軸部に中釜５２の支軸５２ａを挿入させた状態で中釜５２に支持される。
【００２３】
ボビンケース５１は、一端が閉塞され、他方が開口した筒状体であり、その内側にボビン５６を格納することができる。このボビンケース５１は、ボビン５６を格納した状態で中釜５２内に装着され、ボビン５６を介して支軸５２ａに支持されることとなる。
また、ボビンケース５１の閉塞端面側には、半径方向外側に向かって延接された回転防止用の突起５１ａが設けられている。この回転防止用の突起５１ａは、中釜押さえ５５に設けられた凹部５５ａにはめ込まれて、ボビンケース５１及びボビン５６が中釜５２と共に回動してしまうことを防止する。
さらに、この突起５１ａは、その先端部が奥側に向かって屈曲形成されており、その屈曲部には糸ガイド穴５１ｂが貫通状態で形成されている。このボビンケース５１は、筒状の外周面上に貫通穴５１ｃが形成されており、内側のボビン５６の下糸Ｄは貫通穴５１ｃから外部に繰り出され、さらに、糸ガイド穴５１ｂに挿通されて糸ガイド板６０側に案内されている。つまり、この糸ガイド穴５１ｂがボビンケース５６が導出される下糸Ｄの糸経路を定める案内手段であり、糸ガイド穴５１ｂの出口側（突起５１ａの上端面）が「ボビンケースの下糸導出部」に相当する。
【００２４】
（糸ガイド板）
糸ガイド板６０は、図４に示すように、長方形状の平板である本体板６１と、本体板６１の上面に取り付けられる所定形状の弾性を備えたバネ板６２とからなり、本体板６１はその左右両端において二つの止めネジ６４により大釜５４の上部に装着される。また、バネ板６２は、止めネジ６４により本体板６１に固定される。
【００２５】
本体板６１の中央には、その表裏に貫通するガイド穴６５が形成されており、このガイド穴６５の形状に応じて上糸を縫製時に所定の位置に誘導し、また、下糸Ｄを切断時に所定位置に誘導する。
縫い針１２は、本体板６１のガイド穴６５の所定位置に対して上下動を行い（図４参照）、その下降時に大釜５４の内部まで侵入し、縫い針１２に挿通された上糸が中釜５２の剣先５２ｂに捕捉されてループ形成が行われるようになっている。このとき、中釜５２は、剣先５２ｂを図４における右方に向けた状態で右方に向かって進行する。これに対して、本体板６１には、糸捕捉時の剣先５２ｂの進行方向とは逆方向（図４における左方）に尖った形状の先端部を向けた上糸振り分け部６６が形成されている。つまり、ガイド穴６５は、この上糸振り分け部６６を挟んで二叉に分かれる糸経路を形成している。
この上糸振り分け部６６により、中釜５２の剣先５２ｂに捕捉された上糸は、剣先５２ｂを境としてその上流側となる部分と下流側となる部分とがそれぞれ上糸振り分け部６６の両側に分離され、上糸ループが分け広げられることとなる。これにより、剣先５２ｂが下方まで移動するまでの間、上糸の両側部分が中釜５２と大釜５４との摺接部分に挟まれることを防止すると共に、上糸ループに中釜をくぐらせるために充分に拡大させることを可能とする。
【００２６】
また、本体板６１のガイド穴６５には、縫製時に下方から上方に向かって下糸Ｄが挿通される。そして、ガイド穴６５には、上糸を案内する二叉の経路の他に、下糸Ｄを下糸保持部６７に導く経路６８が形成されている。
この下糸保持部６７は、切断後の下糸端部を次回の縫製のために所定長さで保持しておくための部位であり、上述した下糸Ｄを導く経路６８の終端部において前述したバネ板６２により形成される。
即ち、バネ板６２は爪状に延設された突起部６２ａを備えると共に、当該突起部６２ａが経路６８の終端の手前で横切るように配置されている。さらに、この突起部６２ａは、その先端部が平面視では経路６８をほぼ塞いで見えるが、突起部６２ａの先端方向に傾斜した斜め上方から見ると経路６８に下糸Ｄを通過させる隙間ができるようにその先端位置が調節されている。
下糸Ｄの切断時には、切断直前に、動メス１４により下糸Ｄが経路６８に沿って移動されることとなるが、その際、突起部６２ａにより形成される狭小な隙間を通過して経路６８の終端に到達することとなる。そして、切断後には、下糸端部は突起６２ａにより逆移動が阻まれるので、経路６８の終端に保持された状態となる。つまり、経路６８の終端と突起６２ａに囲まれる領域が下糸保持部６７となっている。
【００２７】
なお、本体板６１は、大釜６４の上面部の湾曲形状に合わせて二本の折り目Ｗが形成されており、当該本体板６１は二本の折り目Ｗにより三つの平板面が形成されている。
一方、バネ板６２はその突起６２ａの部分の平板面が、本体板６１の三つの平板面の中の下糸保持部６７が位置する平板面に平行な状態にならないと、突起６２ａの先端部が本体板６１から離れて隙間が過度に大きくなり、下糸保持の機能を果たせなくなる。
このため、突起６２ａの先端部に大きな隙間を生じないように、突起６２ａが下糸保持部６７が位置する平板面の平面内となるように配置すると共に、当該下糸保持部６７が位置する平板面内に設けられた止めネジ６３によりバネ板６２を固定している。
【００２８】
さらに、ガイド穴６５における下糸保持部６７に下糸Ｄを導く経路６８の向きと、下糸保持部６７の配置設定についてより詳述する。
下糸保持部６７に下糸Ｄを導く経路６８は、図４に示すように、平面視において、縫い針１２の針落ち位置と突起５１ａの糸ガイド穴５１ｂ（下糸導出部）とを結ぶ直線に沿って形成されている。
また、動メス１４は、図４に示す矢印Ｓの範囲で往復回動を行うが、動メス１４が切断方向に回動する際に下糸Ｄに当接する位置（後述する下糸通過位置Ｐ）での動メス１４の円弧状の移動軌跡に対する接線方向と経路６８の向きとがおおよそ一致するように、動メス１４の配置と経路６８の向きとが設定されている。これにより、切断方向に回動する動メス１４に当接することにより、下糸Ｄは経路６８に沿って糸保持部６７側に移動されることとなる。
【００２９】
図５は図４におけるＶ−Ｖ線に沿った断面図である。図５に示すように、下糸Ｄは、縫製時において、突起５１ａの糸ガイド穴５１ｂから針板１１の針穴１３までをほぼ直線で結ぶ経路を形成する。従って、下糸Ｄは、縫製時には、糸ガイド板６０に対して一定の下糸通過位置Ｐで通過することとなる。
そして、前述した下糸保持部６７は、平面視において、上記下糸通過位置Ｐよりも下糸導出部である糸ガイド穴５１ｂに近接する位置に設けることが望ましい。
例えば、平面視において、下糸保持部６７は、下糸通過位置Ｐから糸ガイド部５１ｂまでを結ぶ線分上であることがより望ましく、本実施形態では、下糸保持部６７の配置を糸ガイド穴５１ｂの垂直上方に設定している。
【００３０】
（ミシンの動作説明）
上記構成からなるミシン１０の動作説明を行う。
縫製にあっては、上糸を挿通された縫い針１２が上下動を行い、下降時に中釜５２の剣先５２ｂが上糸を捕捉し、そのループを下方に引き延ばす。このとき、糸ガイド板６０では、糸ガイド穴６５の上糸振り分け部６６が上糸のループを押し広げる。そして、剣先５２ｂが最下位置に到達して中釜５２が逆方向に回動を切り替えられると、剣先５２ｂから離れた上糸のループが図示しない天秤機構により引き上げられ、その結果、中釜５２をループの内側にくぐらせる。これにより、下糸Ｄも上糸のループに挿通され、結節が形成されて縫製が行われる。
さらに、縫製が完了すると、動メス１４が駆動されて糸切りが行われる。まず、動メス１４は、固定メス側に位置して待機した状態から針穴１３の真下を通過して片道分の回動を行う。これにより、針穴１３に挿通されていた上糸の上流側部分（上糸供給源に近い部部）と、上糸の下流側部分及び下糸Ｄが振り分けられる。
次いで、動メス１４は固定メスに向かって戻る方向に回動を行う。これにより、上糸の下流側部分及び下糸Ｄが動メス１４に捕捉されて固定メス側に運ばれる。これにより、下糸Ｄは下糸通過位置Ｐから経路６８に沿って下糸保持部６７まで移動して保持される。
さらに、下糸Ｄ及び上糸は、固定メスまで移動して切断が行われる。
そして、下糸Ｄの切断端部は、下糸保持部６７に保持されるので、切断後の新たな縫製を行う際には、下糸をセットする作業を不要とすることができる。
【００３１】
（実施形態の効果）
上記構成おいて、釜機構５０では、下糸保持部６７を糸ガイド板６０の下糸通過位置Ｐよりも糸ガイド穴５１ｂに近い位置である当該糸ガイド穴５１ｂの鉛直上方に設けているので、上述した下糸Ｄの下糸保持部６７への移動においてボビン５６からの下糸繰り出し量を低減することができる。
さらに、下糸保持部６７を糸ガイド穴５１ｂの鉛直上方とするので、糸ガイド穴５１ｂ−下糸保持部６７−下糸切断位置までの下糸のルートが、屈曲して迂回するような遠回りのルートとならず、切断までの下糸繰り出し量を低減することが可能となる。
従って、切断後の下糸端部は、余分な長さとならず、次回の縫製に際して、糸張力の変動の発生を抑制することができ、結節を良好に形成することが可能となる。これにより、縫い始めの縫い品質の向上を図ることが可能となる。
【図面の簡単な説明】
【００３２】
【図１】釜機構が搭載されたミシンの主要部を示す斜視図である。
【図２】フレームのベッド部の一端部をＹ軸方向に沿った視線で見た側面図である。
【図３】図１に開示された釜機構の斜視図である。
【図４】図１に開示された釜機構の平面図である。
【図５】図４におけるＶ−Ｖ線に沿った断面図である。
【符号の説明】
【００３３】
１０  ミシン
１１  針板
１２  縫い針
１３  針穴
１４  動メス
２０  フレーム
２１  ベッド部（ミシンベッド部）
５０  釜機構
５１  ボビンケース
５１ａ  突起
５１ｂ  糸ガイド穴（下糸導出部）
５２  中釜
５４  大釜
５６  ボビン
６０  糸ガイド板
６７  下糸保持部
Ｄ  下糸
Ｐ  下糸通過位置
【図１】
0004707489.tif 000002
【図２】
0004707489.tif 000003
【図３】
0004707489.tif 000004
【図４】
0004707489.tif 000005
【図５】
0004707489.tif 000006